(57)【特許請求の範囲】
【請求項１】
入力する信号に対して複数の処理要素により信号処理を行って出力する信号処理装置をリモート制御する制御装置であって、
前記処理要素のうちの所定の処理要素への擬似信号の入力を設定する設定手段と、
前記信号処理の経路のうちレベル表示を行うポイントを参照ポイントとして指定する参照ポイント指定手段と、
前記所定の処理要素から前記参照ポイントまでの信号処理経路を検出する経路検出手段と、
前記リモート制御に使用するパラメータの値に基づいて、前記検出された経路を通って前記参照ポイントに到達する擬似信号のレベルを算出するレベル算出手段と、
前記算出されたレベルに基づき、前記参照ポイントに関するレベル表示を行う表示手段とを設けたことを特徴とする制御装置。
【請求項２】
請求項１記載の制御装置であって、
前記経路検出手段は、前記参照ポイントについて複数の信号処理経路を算出することが可能であり、
前記算出手段は、複数の信号処理経路が検出された場合、その各信号処理経路毎に擬似信号のレベルを算出する手段を有し、
前記表示手段は、その算出された複数のレベルを合成して、その合成されたレベルに基づき前記レベル表示を行う手段を有することを特徴とする制御装置。
【請求項３】
請求項１又は２記載の制御装置であって、
前記表示手段が、前記経路検出手段により１つも信号処理経路が検出されなかった参照ポイントに関しては、信号が入力されていなことを示すレベル表示を行う手段であることを特徴とする制御装置。
【請求項４】
コンピュータを請求項１乃至３のいずれか一項記載の制御装置として機能させるためのプログラム。
【発明の詳細な説明】
【技術分野】
【０００１】
この発明は、入力する信号に対して複数の処理要素により信号処理を行って出力する信号処理装置をリモート制御する制御装置に関する。
【背景技術】
【０００２】
従来から、複数の入力チャンネルから入力する音響信号に対して複数の処理要素で種々のパラメータの値に基づいて信号処理を施し、処理後の信号を複数の出力チャンネルから出力する信号処理装置として、デジタルミキサ（以下単に「ミキサ」ともいう）が知られている。そして、このようなミキサに、ＰＣ（パーソナルコンピュータ）を接続し、ＰＣに所要の制御プログラムを実行させることにより、ユーザがこのＰＣを用いてデジタルミキサの動作をリモート制御できるようにすることも行われている。
【０００３】
そして、このようなミキサ及びＰＣに、以下のような機能を持たせ、また以下のような動作を行わせることが知られている。
まず、ミキサにおいては、現在の信号処理に反映させるパラメータの値を記憶するカレントメモリと、信号処理の制御に使用するパラメータの値のセットをシーンとして記憶するシーンメモリとを用意し、カレントメモリの内容をシーンとしてシーンメモリに保存したり、シーンメモリ中のシーンの内容をカレントメモリに呼び出して信号処理に反映させたりする機能を設けることが知られている。
そしてこの場合、制御プログラムによってＰＣのメモリ上に用意されるワーク領域にも、同様にカレントメモリとシーンメモリを用意し、ＰＣをミキサと接続しなくても、ＰＣ上でミキサを制御するためのパラメータの値を編集できるようにしている。
【０００４】
また、ＰＣとミキサとを接続し、オンライン状態への移行を指示した場合に、ＰＣ側とミキサ側とでカレントメモリ及びシーンメモリの内容を同じにする同期処理を行うようにしている。さらに、このオンライン状態では、ＰＣ側とミキサ側とで操作イベントを相互に伝達し、いずれか一方でカレントメモリやシーンメモリの内容を変更するような操作があった場合、ＰＣ側とミキサ側とで同じようにそれらの内容を変更するようにし、同期を保つことができるようにしている。
【０００５】
また、ＰＣ側からミキサ側に要求データを送信すると、それに応じてミキサ側からＰＣ側に、処理中の信号のレベル等のミキサの状態を示す状態データを送信し、ＰＣ側でその状態データを利用して、所望の入力チャンネルの所望のポイントの信号レベル等、ミキサの状態を表示できるようにすることも知られている。
このようなミキサ及び制御プログラムについては、例えば以下の非特許文献１及び非特許文献２に記載されている。
【非特許文献１】「ＰＭ５Ｄ／ＰＭ５Ｄ−ＲＨ  取扱説明書」，ヤマハ株式会社，２００４年
【非特許文献２】「ＰＭ５Ｄ  Ｅｄｉｔｏｒ  取扱説明書」，ヤマハ株式会社，２００４年
【発明の開示】
【発明が解決しようとする課題】
【０００６】
ところで、上述したようなミキサ及びＰＣを使用する場合において、ＰＣの方がパラメータ編集の操作性がよかったり、持ち運びが容易だったりするため、ＰＣを単独で使用してミキサの制御に使用するパラメータの編集をすることも行われている。また、特に音量（信号レベル）については、設定に音色や音質をあまり考慮する必要がないため、実際にミキサを接続して信号処理を行わせる前に、所望の音量が得られるような設定をしておきたいという要望があった。
しかし、ＰＣ単独で編集を行った場合には、ＰＣをミキサに接続してオンライン状態にしてみないと、編集したパラメータに従った信号処理をミキサに行わせた場合にある入力信号に対してどのような出力信号が出力されるかが、確認できなかった。従って、ＰＣ単独で編集を行う場合、所望の出力が得られるようなパラメータを編集することが難しいという問題があった。
【０００７】
この発明は、このような問題を解決し、信号処理装置を制御装置によりリモート制御しようとする場合に、そのリモート制御に従った信号処理により得られる信号のレベルを、信号処理装置なしでも容易に確認できるようにすることを目的とする。
【課題を解決するための手段】
【０００８】
上記の目的を達成するため、この発明の制御装置は、入力する信号に対して複数の処理要素により信号処理を行って出力する信号処理装置をリモート制御する制御装置において、上記処理要素のうちの所定の処理要素への擬似信号の入力を設定する設定手段と、上記信号処理の経路のうちレベル表示を行うポイントを参照ポイントとして指定する参照ポイント指定手段と、上記所定の処理要素から上記参照ポイントまでの信号処理経路を検出する経路検出手段と、上記リモート制御に使用するパラメータの値に基づいて、上記検出された経路を通って上記参照ポイントに到達する擬似信号のレベルを算出するレベル算出手段と、上記算出されたレベルに基づき、上記参照ポイントに関するレベル表示を行う表示手段とを設けたものである。
【０００９】
このような制御装置において、上記経路検出手段が、上記参照ポイントについて複数の信号処理経路を算出することが可能とし、上記算出手段に、複数の信号処理経路が検出された場合、その各信号処理経路毎に擬似信号のレベルを算出する手段を設け、上記表示手段に、その算出された複数のレベルを合成して、その合成されたレベルに基づき上記レベル表示を行う手段設けるとよい。
【００１０】
さらに、上記表示手段を、上記経路検出手段により１つも信号処理経路が検出されなかった参照ポイントに関しては、信号が入力されていなことを示すレベル表示を行う手段とするとよい。
また、この発明のプログラムは、コンピュータを上記のいずれかの制御装置として機能させるためのプログラムである。
【発明の効果】
【００１１】
以上のようなこの発明の制御装置によれば、音響信号処理装置を制御装置によりリモート制御しようとする場合に、そのリモート制御に従った信号処理により得られる信号のレベルを、信号処理装置なしでも容易に確認できるようにすることができる。
また、この発明のプログラムによれば、コンピュータを上記の制御装置として機能させてその特徴を実現し、同様な効果を得ることができる。
【発明を実施するための最良の形態】
【００１２】
以下、この発明を実施するための最良の形態を図面に基づいて具体的に説明する。
まず、図１に、この発明の制御装置の実施形態であるＰＣと、そのＰＣによって制御する信号処理装置の一例であるデジタルミキサとを備えたミキサシステムの構成を示す。
図１に示す通り、このミキサシステムは、デジタルミキサ１０とＰＣ３０とを接続して構成される。
【００１３】
そして、ＰＣ３０は、ハードウェアとしては、ＣＰＵ，ＲＯＭ，ＲＡＭ等及び表示手段としてディスプレイを有する公知のＰＣであり、ＷｉｎｄｏｗｓＸＰ（登録商標）などのオペレーティングシステム（ＯＳ）が動作するＰＣを用いることができる。そして、そのＯＳ上のアプリケーションプログラムとして、この発明のプログラムの実施形態である制御プログラムを実行することにより、デジタルミキサ１０をリモート制御する制御装置として機能させることができる。
【００１４】
この制御装置としての機能には、デジタルミキサ１０に信号処理を実行させる際に使用するパラメータの値を編集する機能、その編集したパラメータの値をデジタルミキサ１０に送信してその値に基づいて信号処理を実行させる機能、ＰＣ３０側とデジタルミキサ１０側とで同期処理を行うオンライン状態で、ＰＣ３０側で受け付けた操作に基づいてデジタルミキサ１０におけるパラメータの値を変更させる機能、デジタルミキサ１０に所要のデータを送信するコマンドを送り、それに応じてデジタルミキサ１０から受信するデータに従って、デジタルミキサ１０が処理中の信号のレベルや周波数特性を始めとする、デジタルミキサ１０における信号処理の状態を示す画面を表示する機能等を含む。
そして、以下に説明するＰＣ３０の動作や機能は、特に断らない限り、上記の制御プログラムの実行により実現されるものとする。
【００１５】
一方、デジタルミキサ１０は、ＣＰＵ１１，フラッシュメモリ１２，ＲＡＭ１３，レベルメータ１４，表示器１５，操作子１６，波形Ｉ／Ｏ１７，信号処理部（ＤＳＰ）１８，ＰＣ入出力部（Ｉ／Ｏ）１９，その他Ｉ／Ｏ２０を備え、これらがシステムバス２１によって接続されている。そして、複数の入力チャンネル（ｃｈ）から入力する音響信号に対して種々の信号処理を施して複数の出力ｃｈから出力する機能を有する。なお、このデジタルミキサ１０は、ＰＣ３０を接続せずに、単独で動作させることも可能である。
【００１６】
そして、ＣＰＵ１１は、このデジタルミキサ１０の動作を統括制御する制御手段であり、フラッシュメモリ１２に記憶された所要のプログラムを実行することにより、波形Ｉ／Ｏ１７及びＰＣＩ／Ｏ１９におけるデータ送受信や、レベルメータ１４や表示器１５における表示や、ＤＳＰ１８における信号処理を制御したり、操作子１６の操作を検出してその操作に従ってパラメータの値の設定／変更や各部の動作を制御したりといった処理を行う。
フラッシュメモリ１２は、ＣＰＵ１１が実行する制御プログラム等を記憶する書き換え可能な不揮発性記憶手段である。
【００１７】
ＲＡＭ１３は、一時的に記憶すべきデータを記憶したり、ＣＰＵ１１のワークメモリとして使用したりする記憶手段である。
レベルメータ１４は、ＤＳＰ１８の入力ｃｈや出力ｃｈに設けたられた後述する参照ポイントにおける処理対象の信号のレベルを、ｃｈ毎に表示するレベル表示手段であり、レベルに応じて点灯させるＬＥＤの数を変える表示器等により実現できる。また、レベルメータ１４はＣＰＵ１１の制御に従って表示を行うが、レベルを示すデータはＤＳＰ１８から直接供給を受けることができる。
【００１８】
表示器１５は、ＣＰＵ１１による制御に従って種々の情報を表示するその他の表示手段であり、例えば液晶パネル（ＬＣＤ）や発光ダイオード（ＬＥＤ）によって構成することができる。そして、ＬＣＤは、パラメータの値の参照や設定の受付を行うためのグラフィカル・ユーザ・インタフェース（ＧＵＩ）を表示できるような大きさのものとするのがよい。また、上記のレベルメータ１４の機能を、このＬＣＤに所要の画面を表示して実現してもよい。
操作子１６は、デジタルミキサ１０に対する操作を受け付けるためのものであり、種々のキー、ボタン、ダイヤル、スライダ等によって構成することができる。ここでは、表示器１５のＬＣＤに積層したタッチパネルも用いている。
【００１９】
波形Ｉ／Ｏ１７は、ＤＳＰ１８で処理すべき音響信号の入力を受け付け、また処理後の音響信号を出力するためのインタフェースである。そして、そして、この波形Ｉ／Ｏ１７は、アナログ信号をデジタル信号に変換して入力するアナログ入力ポート、デジタル信号をアナログ信号に変換して出力するアナログ出力ポート、デジタル信号を当該ミキサの信号形式に変換して入力するデジタル入力ポート、デジタル信号を外部機器の信号形式に変換して出力するデジタル出力ポートをそれぞれ複数有する。
【００２０】
ＤＳＰ１８は、信号処理回路を含み、ＣＰＵ１１により設定されたマイクロプログラムを実行することにより、波形Ｉ／Ｏ１７から入力する音響信号に対し、カレントデータとして設定されている各種パラメータの値に従って、ミキシング、イコライジング等の各種信号処理を施して波形Ｉ／Ｏ１７に出力する信号処理部である。この処理に用いるカレントデータは、ＲＡＭ１３あるいはＤＳＰ１８自身に備えるメモリに記憶しておくことができる。
【００２１】
なお、このＤＳＰ１８が行う信号処理は、入力ｃｈを２４ｃｈ有し、波形Ｉ／Ｏ１７の入力ポートとＤＳＰ１８の入力ｃｈとを入力パッチにより対応付けて、波形Ｉ／Ｏ１７に入力する信号をその対応付けた各入力ｃｈに入力することができる。
また、ＤＳＰ１８が行う信号処理は、１２本の混合（ＭＩＸ）バスを有し、入力ｃｈに入力した信号を、パラメータの設定内容に従って各バスに送出すると共に、同じバスに入力された信号同士をミキシングすることができる。
そして、これらのバスの出力は、対応する出力ｃｈから出力されるが、出力経路についても、入力時の場合と同様に、出力パッチによりＤＳＰ１８が行う信号処理の出力ｃｈと波形Ｉ／Ｏ１７の出力ポートとを対応付けるようにしている。
【００２２】
ＰＣＩ／Ｏ１９は、ＰＣ３０と通信を行うためのインタフェースであり、例えばＵＳＢ（Universal Serial Bus）方式のインタフェースとしたり、イーサネット（登録商標）による通信を行うためのインタフェースとすることができる。
その他Ｉ／Ｏ２０は、種々の外部機器を接続し入出力を行うためのインタフェースであり、例えば外部のディスプレイ、マウス、文字入力用のキーボード、操作パネル等を接続するためのインタフェースが用意される。そして、本体の表示器１５や操作子１６をごく単純な構成にしたとしても、これらの外部機器を活用することによりパラメータの変更／設定や動作指示を行うことができるようにすることも考えられる。
【００２３】
次に、図２に、図１に示した波形Ｉ／Ｏ１７及びＤＳＰ１８により実現される信号処理の構成をより詳細に示す。
この図に示すように、ＤＳＰ１８の行う信号処理は、処理要素として、入力パッチ４３，入力ｃｈ５０，ＭＩＸバス６０，出力ｃｈ８０，出力パッチ４４を有する。
そして、ＤＳＰ１８においては、入力パッチ４３で２４ｃｈある入力ｃｈの入力のそれぞれに波形Ｉ／Ｏ１７の複数のアナログ入力ポート４１ないし複数のデジタル入力ポート４２の何れか１つの入力ポートを選択的にパッチ（結線）し、該パッチした入力ポートから入力する音響信号をこの入力ｃｈに供給して、この入力ｃｈにおいてアッテネータ，イコライザ等により信号処理を行った後、１２系統のＭＩＸバス６０それぞれに対して処理後の信号を送出する。この送出をオフにすることも可能である。
【００２４】
また、各ＭＩＸバス６０では、各入力ｃｈ５０から入力する信号を混合し、その各系統に対応して設けられる１２ｃｈの出力ｃｈ８０に混合後の信号を出力する。そして、各出力ｃｈ８０では、ＭＩＸバス６０から入力する信号に対してイコライザ、コンプレッサ等により信号処理を行い、その処理後の信号を出力パッチ４４に出力する。出力パッチでは、複数のアナログ出力ポート４５と複数のデジタル出力ポート４６のそれぞれに１２ｃｈの出力ｃｈ８０の何れか１つの出力ｃｈを選択的にパッチ（結線）し、該パッチした出力ｃｈから出力される音響信号をパッチ先の出力ポートから出力する。
なお、ＤＳＰ１８に設けるこれらの各部による信号処理の内容は、所定のパラメータの値を設定することにより制御可能であり、また、各部の機能は、ソフトウェアによって実現してもハードウェアによって実現してもよい。
【００２５】
次に、図３に、図２に示した入力ｃｈ５０の構成をより詳細に示す。
この図に示す通り、各入力ｃｈ５０には、アッテネータ５１，イコライザ５２，ノイズゲート５３，コンプレッサ５４，ボリューム５５，オンスイッチ５６を設けている。また、その先の、各ＭＩＸバス６０に信号を入力する経路には、それぞれプリ／ポスト（ＰＲＥ／ＰＯＳＴ）スイッチ５７，センドレベルフェーダ５８，センドオンスイッチ５９を設けている。これらの各部もそれぞれ処理要素に該当する。
【００２６】
そして、これらのうち、アッテネータ５１は、信号を減衰させる機能を有する。イコライザ５２は、信号の周波数特性を調整する機能を有する。ノイズゲート５３は、所定レベル以下の信号を減衰させてノイズを低減する機能を有する。コンプレッサ５４は、所定レベル以上の信号を減衰させてダイナミックレンジを狭める機能を有する。ボリューム５５は、信号のレベルを調整する機能を有する。オンスイッチ５６は、出力のオン／オフを切り替える機能を有する。
【００２７】
なお、ボリューム５５については、入力ｃｈ５０と対応して設けられるフェーダによって定められるゲインの他、入力ｃｈがＤＣＡグループに属する場合には、そのＤＣＡグループと対応するフェーダによって定められるゲインも考慮して、最終的なゲインを定めるようにしている。
また、ＰＲＥ／ＰＯＳＴスイッチ５７は、対応するＭＩＸバス６０に送出する信号の取得位置を選択するためのスイッチである。センドレベルフェーダ５８は、ＭＩＸバス６０に送出する信号のレベルを調整する機能を有する。センドオンスイッチ５９は、ＭＩＸバス６０への信号出力のオン／オフを切り替える機能を有する。
【００２８】
そして、このような入力ｃｈ５０に入力した信号は、アッテネータ５１からコンプレッサ５４までの信号処理を順次受けた後、ＰＲＥ／ＰＯＳＴスイッチ５７がＰＲＥ側であればそのまま、ＰＯＳＴ側であればさらにボリューム５５とオンスイッチ５６で信号処理を受け、各ＭＩＸバス６０への送出経路に入力される。そして、ここでセンドレベルフェーダ５８とセンドオンスイッチ５９による信号処理を受けた後、対応するＭＩＸバス６０に入力される。
【００２９】
また、入力ｃｈ５０には、処理対象の信号のレベルをモニタする際にデータのサンプリングを行う参照ポイントとして、ＩＭ１〜ＩＭ５の参照ポイントを設けている。そして、セレクタ７１によってこれらのいずれかの参照ポイントにおける処理対象の信号の値を選択してレベル検出部７２に渡し、レベル検出部７２においてそのレベルを検出して、レベルメータ１４を構成する入力系メータ７３によりそのレベルを表示できるようにしている。
なお、図３には、１つの入力ｃｈ５０の構成のみを示したが、他の２３の入力ｃｈも同様な構成を有し、各ＭＩＸバス６０では、それら２４の入力ｃｈから入力する信号を混合することができる。そして、各ＭＩＸバス６０も、混合という処理を行う処理要素に該当する。
【００３０】
次に、図４に、図２に示した出力ｃｈ８０の構成をより詳細に示す。
この図に示す通り、各出力ｃｈ８０には、イコライザ８１，コンプレッサ８２，ボリューム８３，オンスイッチ８４を設けている。そして、これらの各部も、それぞれ処理要素に該当し、入力ｃｈ５０について説明した同名の処理要素と同様な機能を有する。
そして、各出力ｃｈ８０には、対応するＭＩＸバス６０で混合された信号が入力し、イコライザ８１からオンスイッチ８４までの信号処理を順次受けた後、出力パッチ４４によってパッチされた出力ポートに出力される。
【００３１】
また、出力ｃｈ８０には、処理対象の信号のレベルをモニタする際にデータのサンプリングを行う参照ポイントとして、ＯＭ１〜ＯＭ４の参照ポイントを設けている。そして、セレクタ９１によってこれらいずれかの参照ポイントにおける処理対象の信号の値を選択してレベル検出部９２に渡し、レベル検出部９２においてそのレベルを検出して、レベルメータ１４を構成する出力系メータ９３によりそのレベルを表示できるようにしている。
なお、セレクタ９１は、セレクタ７１とは全く独立に参照ポイントを選択することができる。また、図４には、１つの出力ｃｈ５０の構成のみを詳細に示したが、他の１１の出力ｃｈも同様な構成を有する。
【００３２】
ところで、図１に示したミキサシステムを構成するＰＣ３０は、デジタルミキサ１０が接続されていない場合や、オンライン状態になっていない場合でも、単独でパラメータの値の編集を行うことができる。そして、このような場合でも、デジタルミキサ１０にその編集した結果の値を用いた信号処理を実行させる場合に、その信号処理により得られる信号のレベルがどのようなものになるかを容易に確認できるようにした点が、この実施形態の特徴である。そこで、次に、この点について説明する。
【００３３】
ＰＣ３０においては、上記の点に関し、ユーザからデジタルミキサ１０の各入力ポートに入力すると想定する擬似的な信号のレベルの指定と、信号のレベルをモニタする参照ポイントの指定とを受け付け、指定されたレベルの信号についてデジタルミキサ１０にカレントデータに基づく信号処理を行わせた場合の、指定された参照ポイントにおける信号レベルを表示する機能を設けている。
そして、参照ポイントにおける信号レベルは、カレントデータに基づいて各処理要素における信号処理のゲイン値を求め、指定された入力信号レベルを、ＤＳＰ１８における参照ポイントまでの信号処理の経路を辿りながら、各処理要素のゲイン値に従って順次変化させていくことにより、取得できるようにしている。
【００３４】
この場合において、ここでは信号のレベルのみに注目しているので、信号の周波数によってゲインが変わるイコライザ５２のような処理要素は無視するようにしている。またここでは、入力信号レベルは指定された特定の値としているので、ノイズゲート５３やコンプレッサ５４のように、入力信号に応じてゲインがダイナミックに変化する処理要素も、無視するようにしており、このようにしても大きな不都合はない。イコライザ５２、ノイズゲート５３、およびコンプレッサ５４については、実際にデジタルミキサ１０に音響信号を入力して処理させ、その出力を耳で聞きながら調整することが多いため、この観点からも、オフライン状態でのレベル表示に際して勘案する必要性は低い。
【００３５】
ここで、図５に、上記の入力信号レベルの指定を受け付けるための擬似入力設定画面の表示例を示す。
ＰＣ３０においては、図５に示すような擬似入力設定画面１００をディスプレイに表示させ、デジタルミキサ１０の各入力ポートへ入力すると想定する擬似的な信号のレベルの指定を受け付けることができるようにしている。
そして、図５には、１番目から１２番目の入力ポートについての信号レベルを受け付ける状態の例を示しており、各ポートについて、ポインティングデバイス等によりつまみ１０１を回すか、キーボード等によりレベル入力部１０３に直接値を入力することにより、信号レベルの指定を行うことができるようにしている。
【００３６】
また、各ポートについてＯＮ／ＯＦＦスイッチ１０２を設け、ポート毎に信号入力の有無も指定できるようにしている。信号レベルの指定は、入力ＯＦＦのポートについても行なうことはできるが、入力ＯＮのポートについてのみ有効になる。なお、ｄＢ（デシベル）はレベルを相対値として表す単位であり、その絶対値はどのような値に定めてもよいが、ここでは、０ｄＢを、１ｄＢｕとして知られる０．７７５ｖ（ボルト）の信号レベルとしている。
【００３７】
また、擬似入力設定画面１００には、ポート選択ボタン１０４を設け、このボタンにより、信号レベルの指定を受け付ける入力ポートを、１２ポート単位で切り替えることができるようにしている。さらに、切り替えボタン１０５を設け、このボタンにより、上記の信号レベル表示機能自体のＯＮ／ＯＦＦを切り替えることができるようにしている。
以上のような擬似入力設定画面１００において受け付けた指示に従い、上記の擬似的な信号のレベルを設定する処理を実行する場合において、ＰＣ３０のＣＰＵは設定手段として機能する。
【００３８】
次に、図６に、参照ポイントにおける信号レベルを表示するレベル表示画面の表示例を示す。
ＰＣ３０においては、図６に示すようなレベル表示画面１１０をディスプレイに表示させ、擬似入力設定画面１００で受け付けた信号レベルの信号をデジタルミキサ１０の各入力ポートに入力し、カレントデータに従った信号処理を行わせた場合の、指定された参照ポイントにおける信号レベルを、レベル表示部１１２に棒グラフで表示することができるようにしている。
ここでは、縦のスケールはデシベルとしており、目盛りは表示していないが、もちろん表示してもよい。なお、棒グラフの分解能は、通常のミキサと同様に、０ｄＢ付近で高くなるよう不均一にするのがよく、目盛りもその分解能に合わせて表示するのがよい。
【００３９】
また、参照ポイントは、参照ポイント選択ボタン１１１により選択できるようにしている。ここでは、入力ｃｈにおける信号レベルを表示する例を示しており、このため、参照ポイント選択ボタン１１１は、入力ｃｈ５０に設けた参照ポイントＩＭ１〜ＩＭ５と対応させて、PRE ATT, PRE GATE, PRE FADER, POST FADER, POST ONの５つを設けている。
また、ｃｈ選択ボタン１１３を設け、どのｃｈについての信号レベルを表示させるかを、１２ｃｈ単位のｃｈグループ毎に選択できるようにしている。そして、このボタンにより出力ｃｈが選択された場合、参照ポイント選択ボタン１１１は、出力ｃｈ８０に設けた参照ポイントＯＭ１〜ＯＭ４と対応する、PRE EQ, PRE FADER, POST FADER, POST ONの４つに変更されるようにしている。
【００４０】
以上のようなレベル表示画面１１０において受け付けた指示に従い、レベル表示を行うポイントを参照ポイントとして指定する処理を実行する場合において、ＰＣ３０のＣＰＵは参照ポイント指定手段として機能する。
なお、このレベル表示画面１１０は、ＰＣ３０とデジタルミキサ１０とをオンライン状態で動作させる場合に、従来のミキサと制御プログラムでそうであったように、デジタルミキサ１０のＣＰＵ１１からＰＣＩ／Ｏ１９を介して供給される情報を用いて、ＤＳＰ１８で現に処理している信号のレベルを表示する際にも用いることができる。
【００４１】
次に、図７乃至図１３を用いて、ＰＣ３０がレベル表示画面１１０における信号レベルの表示を行う際に実行する処理について説明する。
まず、図７に、レベル表示画面の表示を指示された場合の処理のフローチャートを示す。
ＰＣ３０のＣＰＵは、擬似入力設定画面１００において入力信号レベルの設定を受け付けた後、所定の操作によりレベル表示画面１１０の表示が指示されると、図７のフローチャートに示す処理を開始する。
【００４２】
そしてまず、レベル表示画面１１０を、全ｃｈ最低レベルの状態で、すなわちレベル表示部１１２にバーがない状態で表示する（Ｓ１１）。そして、デジタルミキサ１０がオンライン状態であれば、デジタルミキサ１０に、レベル表示画面１１０で選択されているｃｈグループの、選択されている参照ポイントにおける信号レベルの情報の送信を要求する（Ｓ１２，Ｓ１３）。
すると、その要求をＰＣＩ／Ｏ１９を介して受信したデジタルミキサ１０のＣＰＵ１１は、ＤＳＰ１８からその参照ポイントにおける信号レベルの情報を受け取り、ＰＣＩ／Ｏ１９を介して送信してくるので、これを受信し（Ｓ１４）、その情報に従って入力レベル表示画面の表示を更新する（Ｓ１５）。所定時間内に受信できない場合には、再度情報の送信を要求するようにするとよい。
【００４３】
その後、画面切り替え指示がなければ（Ｓ１６）ステップＳ１３に戻って処理を繰り返し、切り替え指示があれば処理を終了すると共に、図示しない処理により、必要に応じて他の画面の表示やレベル表示画面１１０の消去等を行う。レベル表示の更新は数ミリ秒〜数百ミリ秒の比較的長い周期で行えばよいので、ステップＳ１６からステップＳ１３に戻るところに時間待ち処理を挿入しても良い。なお、デジタルミキサ１０が、情報の送信を要求された場合に所定時間周期的な情報の送信を継続するようになっている場合には、その間ステップＳ１４とステップＳ１５の処理を繰り返してレベル表示の更新を行い、ステップＳ１３の処理は、その所定時間が経過するか、ｃｈグループあるいは参照ポイントの選択が変更された場合に実行すればよい。
【００４４】
このように、オンライン状態の場合は、デジタルミキサ１０から時々刻々変化する音響信号のレベルを受信し、ＰＣ３０におけるレベル表示の更新を行うようになっている。なお、レベル表示画面１１０を表示している場合であっても、デジタルミキサ本体の操作子を操作することにより、デジタルミキサおよびＰＣ３０のカレントメモリ中の各処理要素のパラメータ値を変更することができる。また、ＰＣ３０でも、各処理要素のパラメータ値を設定する操作子画面を、レベル表示画面とは別のウィンドウで開くことができるようにすれば、信号レベルの表示を行いながらカレントメモリのパラメータ値を変更することもできる。
【００４５】
一方、ステップＳ１２でオンライン状態でなければ、ステップＳ１７に進む。そしてここで、擬似入力設定画面１００において擬似入力ＯＮが設定されていなければ、そのまま処理を終了する。この場合には、レベル表示部１１２には何も表示されない状態となる。
逆に擬似入力ＯＮであれば、選択されているｃｈグループの１番目のｃｈを処理対象（対象ｃｈ）とし（Ｓ１８）、有効経路検出処理を行う（Ｓ１９）。この処理は、対象ｃｈが入力ｃｈか出力ｃｈかに応じて異なるものであるが、詳細については後述する。そして、この処理で有効な経路が検出されれば（Ｓ２０）、すなわち経路数ＲＮが０より大きければ、レベル積算処理を行う（Ｓ２１）と共に、その積算で求められたレベルＬｘの値に従い、レベル表示画面１１０の対象ｃｈに関するレベルの表示を更新し（Ｓ２２）、ステップＳ２４に進む。レベル積算処理についても、対象ｃｈが入力ｃｈか出力ｃｈかに応じて異なるものであり、詳細については後述する。
【００４６】
また、ステップＳ２０で有効な経路が検出されていなければ、選択されている参照ポイントには信号が届いていないと判断し、対象ｃｈのレベル表示を最低レベルのままとしてステップＳ２４に進む。
そして、どちらの場合も、次のｃｈを処理対象とし（Ｓ２４）、次のｃｈがあればステップＳ１９に戻って処理を繰り返す（Ｓ２５）。なければ処理を終了する。
以上の処理のうち、ステップＳ１９及びＳ２１の処理において、ＰＣ３０のＣＰＵはそれぞれ経路検出手段及びレベル算出手段として機能する。
【００４７】
なお、擬似入力については、入力レベルが時間に応じて変化しないため、一旦表示を行ってしまえば、その後設定が変更されない限り、表示を更新する必要がない。そのため、ここで処理を終了するようにしている。入力レベル、ｃｈグループ、参照ポイント等、カレントメモリに記憶された各種パラメータを、レベル表示画面とは別ウィンドウで変更操作できるようにした場合は、その変更操作に応じてカレントメモリの当該パラメータの変更を行った後、再度ステップＳ１７以降の処理を行って自動的に表示を更新するようにすればよい。
また、各ｃｈの信号レベルを表示するバーを、固定でなく、該当するｃｈのレベルＬｘを上限として振動させるようにしてもよい。このようにすれば、デジタルミキサ１０に実際に信号を処理させている場合に近い、自然なイメージの表示とすることができる。
【００４８】
次に、図８に、対象ｃｈが入力ｃｈの場合の有効経路検出処理のフローチャートを示す。
図７のステップＳ１９に示した有効経路検出処理は、対象ｃｈの、レベル表示画面１１０で指定された参照ポイントを通る信号の供給経路のうち、途中で信号をオフにする処理要素がないような経路を探索する処理である。そして、対象ｃｈが入力ｃｈ５０の場合、この処理は、図８に示すようなものになる。
【００４９】
この処理においては、まず経路数ＲＮに初期値０を設定する（Ｓ３１）。そして、参照ポイントがＩＭ５であり、かつ対象ｃｈのオンスイッチ５６がＯＦＦであれば、信号処理経路の途中に信号をオフにする処理要素があり、対象ｃｈにおいて参照ポイントまで信号が届くことはないので、そのまま元の処理に戻る（Ｓ３２，Ｓ３３）。この場合、ＲＮは０のままであり、有効な経路が検出されなかったことになる。
【００５０】
また、ステップＳ３２又はステップＳ３３のいずれかでＮＯの場合、対象ｃｈが入力パッチ４３によりパッチされている入力ポートがあり、かつそのポートへの擬似信号入力がＯＮであれば（Ｓ３４）、その入力ポートから入力する信号が参照ポイントまで届くため、その入力ポートと対象ｃｈとを経路の検索結果として登録し、経路が１つ発見されたのでＲＮにも１を登録して（Ｓ３５）、元の処理に戻る。ここで、入力ポートについては、必要に応じて入力パッチ４３の状態を参照すればよいので、必ずしも登録しておく必要はない。
また、ステップＳ３４でＮＯであれば、対象ｃｈにおいて参照ポイントまで信号が届くことはないので、ステップＳ３３でＹＥＳの場合と同様、そのまま元の処理に戻る。
【００５１】
次に、図９に、対象ｃｈが入力ｃｈの場合のレベル積算処理のフローチャートを示す。
図７のステップＳ２１に示したレベル積算処理は、擬似入力設定画面１００で受け付けたレベルの擬似信号を各入力ポートに入力したと想定した場合の、対象ｃｈの、レベル表示画面１１０で指定された参照ポイントにおける信号のレベルを算出する処理である。そして、対象ｃｈが入力ｃｈ５０の場合、この処理は図９に示すようなものになる。
【００５２】
この処理においてはまず、レベルＬｘに、初期値として対象ｃｈがパッチされている入力ポートの信号レベルを設定する（Ｓ４１）。そして、参照ポイントがＩＭ２以降であれば、参照ポイントまでにアッテネータ５１による処理が行われるので、カレントデータに基づいてアッテネータのゲインを求め、Ｌｘにその値を加算する（Ｓ４２，Ｓ４３）。さらに、参照ポイントがＩＭ４以降であれば、参照ポイントまでにさらにボリューム５５による処理が行われるので、カレントデータに基づいてボリュームのゲインを求め、Ｌｘにさらにその値を加算する（Ｓ４４，Ｓ４５）。以上の後、元の処理に戻る。
【００５３】
ここで、図１０に、あるｃｈのボリュームのゲイン値を計算する処理のフローチャートを示す。
図９のステップＳ４５で使用する各ｃｈのボリュームのゲイン値は、必ずしも単一のパラメータにより定められる値ではないが、図１０に示すような処理により求めることができる。
【００５４】
そして、この処理においては、ボリュームのゲイン値Ｖｏｌに、初期値として、ゲイン値を計算するｃｈのフェーダによって設定されているゲイン値を設定する（Ｓ５１）。そして、デジタルミキサ１０に用意されている各ＤＣＡグループを順次対象とし、ゲイン値を計算するｃｈがそのＤＣＡグループに所属している場合に、Ｖｏｌに、そのＤＣＡグループのフェーダによって設定されているゲイン値を加算し（Ｓ５２〜Ｓ５６）、元の処理に戻る。
【００５５】
従って、ゲイン値を計算するｃｈがどのＤＣＡグループにも属していなければ、そのｃｈのフェーダによって設定されているゲイン値がそのままＶｏｌの値となるし、ＤＣＡグループに属している場合には、ＤＣＡグループのフェーダによって設定されているゲイン値も加味した値がＶｏｌの値となる。
なお、ここでは入力ｃｈの算出処理を示したが、出力ｃｈのゲイン値Ｖｏｌについても同様の処理により算出される。
【００５６】
次に、図１１に、対象ｃｈが出力ｃｈの場合の有効経路検出処理のフローチャートを示す。
対象ｃｈが出力ｃｈ８０の場合、図７のステップＳ１９に示した有効経路検出処理は、図１１に示すようなものになる。
この処理においては、まず経路数ＲＮに初期値０を設定する（Ｓ６１）。そして、参照ポイントがＯＭ４であり、かつ対象ｃｈのオンスイッチ８４がＯＦＦであれば、信号処理経路の途中に信号をオフにする処理要素があり、対象ｃｈにおいて参照ポイントまで信号が届くことはないので、そのまま元の処理に戻る（Ｓ６２，Ｓ６３）。この場合、ＲＮは０のままであり、有効な経路が検出されなかったことになる。
【００５７】
また、ステップＳ６２又はステップＳ６３のいずれかでＮＯの場合、ｃｈレジスタｉに初期値として１を設定し（Ｓ６４）、以下のｉ番目の入力ｃｈに関する経路検出の処理（Ｓ６５〜Ｓ６９）を行う。
すなわち、まず、ｉ番目の入力ｃｈから対象ｃｈへのセンドオンスイッチ５９がＯＦＦであれば（Ｓ６５）、信号処理経路の途中に信号をオフにする処理要素があり、その入力ｃｈからの信号が対象ｃｈに届くことはないので、その入力ｃｈは有効な経路として登録せずにステップＳ７０に進む。
【００５８】
また、ステップＳ６５でＮＯであっても、ｉ番目の入力ｃｈから対象ｃｈへの送出について、ＰＲＥ／ＰＯＳＴスイッチ５７がＰＯＳＴに設定されており、かつｉ番目の入力ｃｈのオンスイッチ５６がＯＦＦであれば（Ｓ６６，Ｓ６７）、同様にその入力ｃｈからの信号が対象ｃｈに届くことはないので、有効な経路として登録せずにステップＳ７０に進む。
さらに、ステップＳ６６又はＳ６７のいずれかでＮＯであっても、ｉ番目の入力ｃｈが入力パッチ４３によりパッチされている入力ポートがあり、かつそのポートへの擬似信号入力がＯＮであるという条件が満たされなければ（Ｓ６８）、同様にその入力ｃｈからの信号が対象ｃｈに届くことはないので、有効な経路として登録せずにステップＳ７０に進む。
【００５９】
そして、ステップＳ６８でＹＥＳである場合には、ｉ番目の入力ｃｈからの信号が対象ｃｈに届くので、その入力ｃｈと、その入力ｃｈがパッチされている入力ポートとを経路の検索結果として登録し、経路が新たに１つ発見されたのでＲＮを１増加させて（Ｓ６９）、ステップＳ７０に進む。
そして、ステップＳ７０では、ｉを１増加させ、ｉが入力ｃｈ数である２４より大きくなければステップＳ６５に戻って処理を繰り返すが、２４より大きければ、経路の検出を終了して元の処理に戻る。
【００６０】
図１２に、以上の処理により検索結果として登録される経路情報の例を示す。
この図に示すとおり、経路情報としてはまず、経路数ＲＮとして、いくつの入力ｃｈからの信号が対象ｃｈの参照ポイントに届くかの情報が登録され、それに加えて、参照ポイントに届く信号が経由する入力ｃｈ及び入力ポートの情報を、１番目からＲＮ番目の入力ｃｈ及び入力ポートの番号として登録している。
そして、これらの情報を用いて、次に説明するレベル積算処理を行うようにしている。
【００６１】
次に、図１３に、対象ｃｈが出力ｃｈの場合のレベル積算処理のフローチャートを示す。
対象ｃｈが出力ｃｈ８０の場合、図７のステップＳ２１に示した有効経路検出処理は、図１３に示すようなものになる。
この処理においては、経路情報として登録されている各入力ｃｈからの信号のレベルを加算する必要があるため、まず、リニアレベルＬＬｘに、初期値として０を設定する（Ｓ８１）と共に、経路レジスタｋに初期値として１を設定し（Ｓ８２）、以下のｋ番目の経路に関する信号レベル算出の処理（Ｓ８３〜Ｓ９０）を行う。
【００６２】
すなわち、まずレベルＬｙに、図１２に示したような経路情報として登録されている経路のｋ番目の入力ポートの信号レベルを設定する（Ｓ８３）。そして、カレントデータに基づいて経路のｋ番目の入力ｃｈにおけるアッテネータ５１のゲインを求め、Ｌｙにその値を加算する（Ｓ８４）。そしてさらに、経路のｋ番目の入力ｃｈから対象ｃｈへの送出についてＰＲＥ／ＰＯＳＴスイッチ５７がＰＯＳＴに設定されていれば、カレントデータに基づいてｋ番目の入力ｃｈにおけるボリューム５５のゲインを求め、Ｌｙにその値を加算する（Ｓ８５，Ｓ８６）。
【００６３】
さらにまた、カレントデータに基づいて経路のｋ番目の入力ｃｈから対象ｃｈへの送出経路のセンドレベルフェーダ５８のゲインを求め、Ｌｙにその値を加算して（Ｓ８７）、経路のｋ番目の入力ｃｈからＭＩＸバス６０に送出される信号のレベルＬｙを求める。なお、センドオンスイッチ５９やオンスイッチ５６で信号が遮断されるような入力ｃｈは、有効な経路としては登録されていないはずであるので、ここではレベルの算出に当たってこれらの処理要素は考慮していない。
【００６４】
そして、ＬＬｘに、ステップＳ８７までで求めたＬｙをリニア値に換算した値を加算し（Ｓ８８）、ｋを１増加させて（Ｓ８９）、ｋがＲＮより大きくなければステップＳ８３に戻って処理を繰り返す（Ｓ９０）。ｋがＲＮより大きければ、すなわち全ての経路について信号レベルＬｙのＬＬｘへの加算が終了していれば、ステップＳ９１以降の処理に進む。
【００６５】
そして、レベルＬｘに、ＬＬｘをデシベル値に換算した値を設定し（Ｓ９１）、参照ポイントがＯＭ３以降であれば、参照ポイントまでにボリューム８３による処理が行われるので、カレントデータに基づいてボリューム８３のゲインを求め、Ｌｘにその値を加算して（Ｓ９２，Ｓ９３）、元の処理に戻る。なお、参照ポイントまでにオンスイッチ８４で対象ｃｈの信号が遮断される場合には、有効な経路がなく、図７に示した処理でレベル積算処理には進まないはずであるので、ここではレベルの算出に当たってオンスイッチ８４は考慮していない。
【００６６】
また、デシベル値からリニア値への換算は、下記の数１に従って、リニア値からデシベル値への換算は、下記の数２に従って、それぞれ行うことができる。なおここでは、リニア値は再度デシベル値に戻すので、リニア値に変換する際に単位をｖ（ボルト）に換算する必要はない。また、リニア値が０になっている場合は、デシベル値に換算する際、信号の最低レベルを示す値とするとよい。
【数１】
0004775042.tif 000002
【数２】
0004775042.tif 000003
【００６７】
以上のような図７乃至図１３を用いて説明してきた処理をＰＣ３０に実行させることにより、ＰＣ３０単独で動作させたりデジタルミキサ１０がオフライン状態であったりする場合でも、デジタルミキサ１０にあるレベルの信号を入力してカレントデータに従って処理させ場合に、参照ポイントにおける信号がどのようなレベルになるかを表示することができる。また、この表示を、デジタルミキサ１０がオンライン状態の場合に、デジタルミキサ１０から受信するデータに従って、ＤＳＰ１８において処理中の信号のレベルを表示する画面と同じ画面で行わせることができる。
【００６８】
従って、ＰＣ３０のユーザは、ＰＣ３０によりデジタルミキサ１０をリモート制御しようとする場合に、そのリモート制御に従った信号処理により得られる信号のレベルを、デジタルミキサ１０なしでも容易に確認できるようにすることができる。従って、編集中のカレントデータの内容に従ってデジタルミキサ１０が実行する信号処理が所望のものになっているか、またどの部分がおかしいかを、容易に確認することができる。
特に、入力パッチ、オンスイッチ、フェーダ、センドレベル、センドオンスイッチ、ＤＣＡグループといった処理要素に係る設定については、デジタルミキサ１０をオンラインにする前に内容を確認したいという要望が多く、上述した処理によれば、このような要望に容易に応えることができる。
【００６９】
また、この場合において、実際に信号処理を行わなくてもレベルを算出することができるため、低い処理負荷で表示を行うことができる。
また、表示に必要な信号レベルを求める際に、信号処理経路中に信号をオフにする処理要素があった場合、その信号処理経路についてはレベルの算出を中止して、信号レベルが所定のオフレベル（最低レベル）であるとするようにしているので、処理負荷をさらに低減することができる。
【００７０】
以上でこの実施形態の説明を終了するが、装置の構成や具体的な処理内容、画面の表示内容等が上述の実施形態で説明したものに限られないことはもちろんである。
例えば、信号レベルの算出を行う際に、有効な経路を検索せず、全ての入力ポートから、信号の供給経路に沿って出力ｃｈの末尾まで、各処理要素のゲインを求めながら順次信号レベルの計算を行っていくことにより、選択されている参照ポイントにおける信号レベルを求めるようにしてもよい。この場合でも、途中に信号をオフにする処理要素があった場合に、その経路についてはレベルの算出を中止して、信号レベルが所定のオフレベルであるとするようにするとよい。
【００７１】
また、参照ポイントの位置も上述した実施形態のものに限られることはなく、例えば、出力パッチ４４の先の出力ポートにおける信号レベルを表示できるようにしてもよい。このようにすれば、出力パッチの設定内容についても確認することができる。
また、上述した実施形態においては考慮しなかったコンプレッサやノイズゲートについても考慮して信号レベルを算出するようにしてもよい。ただし、これらの処理要素では、入力信号レベルに応じてゲインが異なることになるので、入力信号レベルとゲイン又は出力信号レベルとの関係を示す数式やテーブルを用意し、これを用いて信号レベルを算出するようにするとよい。
【００７２】
また、上述した実施形態においては擬似信号を所望の入力ポートに入力するよう設定していたが、その代わりに所望のバスに入力するよう設定できるようにしてもよい。その場合、入力チャンネルについての擬似信号のレベル表示は行えないが、出力チャンネル以降のレベル表示をより簡単な演算で行うことができる。また、同様に、処理途中の他の信号処理要素に対する擬似信号の入力を設定し、その信号処理要素以降の信号処理についてのみレベルの積算を行って参照ポイントにおける信号レベルを算出、表示することができるようにしてもよい。
また、上述した実施形態においては参照ポイントを入力ｃｈや出力ｃｈに設けていたが、出力パッチの出力側に設けるようにすれば、出力パッチについてもその設定内容の確認を行うことができる。
【００７３】
さらに、デジタルミキサ１０の各入力ポートへ入力すると想定する擬似的な信号について、周波数の設定を受け付けるようにし、イコライザにおけるフィルタ特性を考慮して、イコライザにおけるゲインも信号レベルの算出に用いるようにしてもよい。また、周波数特性の設定を受け付けるようにし、イコライザ等におけるフィルタ特性を考慮して算出した、参照ポイントにおける信号の周波数特性を表示できるようにしてもよい。
また、ＤＳＰ１８の構成が上述した実施形態のものと異なる場合、信号レベルの算出処理もそれに応じて異なることになるが、上述した実施形態の場合と同様な機能を実現することは当然可能である。
【００７４】
また、この発明が、デジタルミキサを制御する制御装置以外にも、デジタルミキサのような音響信号処理機能を、シンセサイザ、電子楽器、ハードディスクレコーダ等の電子音楽装置に持たせたような装置を制御する制御装置にも適用可能なことは、もちろんである。制御装置の制御対象となる信号処理装置が複数であったり、信号処理装置に実行させる信号処理の構成も制御装置において編集可能であったりする場合にも、この発明は適用可能である。
【００７５】
また、この発明のプログラムは、コンピュータにハードウェアを制御させて上述したような制御装置として機能させるためのプログラムであり、予めＲＯＭやＨＤＤ等に記憶させておくほか、ＣＤ−ＲＯＭあるいはフレキシブルディスク等の不揮発性記録媒体（メモリ）に記録して提供し、そのメモリからこのプログラムをＲＡＭに読み出させてＣＰＵに実行させたり、プログラムを記録した記録媒体を備える外部機器あるいはプログラムをＨＤＤ等の記憶手段に記憶した外部機器からダウンロードして実行させたりしても、同様の効果を得ることができる。
【産業上の利用可能性】
【００７６】
以上の説明から明らかなように、この発明の制御装置又はプログラムによれば、信号処理装置を制御装置によりリモート制御しようとする場合に、そのリモート制御に従った信号処理により得られる信号のレベルを、信号処理装置なしでも容易に確認できるようにすることができる。
従って、この発明を適用することにより、制御装置において、信号処理装置を制御するためのパラメータの値を編集する際の利便性を向上させることができる。
【図面の簡単な説明】
【００７７】
【図１】この発明の制御装置の実施形態であるＰＣと、そのＰＣによって制御する信号処理装置の一例であるデジタルミキサとを備えたミキサシステムの構成を示すブロック図である。
【図２】図１に示した波形Ｉ／Ｏ及びＤＳＰにより実現される信号処理の構成をより詳細に示す図である。
【図３】図２に示した入力ｃｈの構成をより詳細に示す図である。
【図４】図２に示した出力ｃｈの構成をより詳細に示す図である。
【図５】図１に示したＰＣに表示させる擬似入力設定画面の表示例を示す図である。
【００７８】
【図６】同じくレベル表示画面の表示例を示す図である。
【図７】図１に示したＰＣのＣＰＵが実行する、レベル表示画面の表示を指示された場合の処理のフローチャートである。
【図８】対象ｃｈが入力ｃｈの場合の、図７に示した有効経路検出処理のフローチャートである。
【図９】対象ｃｈが入力ｃｈの場合の、図７に示したレベル積算処理のフローチャートである。
【図１０】図９のステップＳ４５等で使用するボリュームのゲイン値を計算する処理のフローチャートである。
【００７９】
【図１１】対象ｃｈが出力ｃｈの場合の、図７に示した有効経路検出処理のフローチャートである。
【図１２】図１１に示した処理により検索結果として登録される経路情報の例を示す図である。
【図１３】対象ｃｈが出力ｃｈの場合の、図７に示したレベル積算処理のフローチャートである。
【符号の説明】
【００８０】
１０…デジタルミキサ、１１…ＣＰＵ，１２…フラッシュメモリ、１３…ＲＡＭ、１４…レベルメータ、１５…表示器、１６…操作子、１７…波形Ｉ／Ｏ、１８…ＤＳＰ、１９…ＰＣＩ／Ｏ、２０…その他Ｉ／Ｏ、２１…システムバス、３０…ＰＣ、４１…アナログ入力ポート、４２…デジタル入力ポート、４３…入力パッチ、４４…出力パッチ、４５…アナログ出力ポート、４６…デジタル出力ポート、５０…入力ｃｈ、５１…アッテネータ、５２，８１…イコライザ、５３…ノイズゲート、５４，８２…コンプレッサ、５５，８３…ボリューム、５６，８４…オンスイッチ、５７…ＰＲＥ／ＰＯＳＴスイッチ、５８…センドレベルフェーダ、５９…センドオンスイッチ、６０…ＭＩＸバス、７１，９１…セレクタ、７２，９２…レベル検出部、７３…入力系メータ、８０…出力ｃｈ、９３…出力系メータ、ＩＭ１〜ＩＭ５，ＯＭ１〜ＯＭ４…参照ポイント
【図１】
0004775042.tif 000004
【図２】
0004775042.tif 000005
【図３】
0004775042.tif 000006
【図４】
0004775042.tif 000007
【図５】
0004775042.tif 000008
【図６】
0004775042.tif 000009
【図７】
0004775042.tif 000010
【図８】
0004775042.tif 000011
【図９】
0004775042.tif 000012
【図１０】
0004775042.tif 000013
【図１１】
0004775042.tif 000014
【図１２】
0004775042.tif 000015
【図１３】
0004775042.tif 000016